(57)【要約】【課題】  打球発射装置を制御する発射タイミング生成回路および賞球払出装置を制御する払出制御回路を１枚の基板上に実装して構成した遊技機を提供する。【解決手段】  パチンコ機ＰＭを、入賞具２６が設けられ、遊技領域ＰＡが形成された遊技盤２０と、遊技領域ＰＡに遊技球を発射する打球発射装置９と、入賞具２６に遊技球が入賞したときに遊技球を払い出す賞球払出装置４５と、打球発射装置９を制御する発射タイミング生成回路８３ｂおよび賞球払出装置４５を制御する払出制御回路８３ａが配置された発射・払出制御基板８３とから構成する。【選択図】  図５
2006314635.tif 000002
【特許請求の範囲】
【請求項１】
入賞具が設けられ、遊技領域が形成された遊技盤と、
前記遊技領域に遊技球を発射する打球発射装置と、
前記入賞具に前記遊技球が入賞したきに前記遊技球を払い出す賞球払出装置と、
前記打球発射装置を制御する発射タイミング生成回路および前記賞球払出装置を制御する払出制御回路が配置された発射・払出制御基板とから構成されることを特徴とする遊技機。
【請求項２】
前記発射・払出制御基板が、
前記発射タイミング生成回路および前記払出制御回路を動作させるクロックを供給する１個の発振器と、
前記発射タイミング生成回路および前記払出制御回路をリセットするためのリセット信号を供給する１個のリセットＩＣとを有することを特徴とする請求項１に記載の遊技機。
【請求項３】
前記発射・払出制御基板が、収容ケースに収められていることを特徴とする請求項１または２に記載の遊技機。
【発明の詳細な説明】
【技術分野】
【０００１】
本発明は、パチンコ機に代表される遊技機に関し、特に詳細には、発射タイミング生成回路および払出制御回路を１枚の基板上に実装した遊技機に関する。
【背景技術】
【０００２】
従来の遊技機は、信号の流れ等を明確にするために機能毎に基板を分けて構成されていた。特に、遊技球の発射を制御する打球発射装置と、遊技球が入賞したときに遊技球を払い出す賞球払出装置とは独立して動作する必要があるため、これらを制御する発射制御基板と払出制御基板とは別個の基板として構成されていた（例えば、特許文献１参照）。
【０００３】
【特許文献１】特開２００４−３３５１８号公報（第４頁、第２図〜第４図）
【発明の開示】
【発明が解決しようとする課題】
【０００４】
しかしながら、機能毎に基板を分けて構成するとこれらの基板に搭載される電子部品を共通化することができず、部品点数が増加して製造コストが上昇するという課題があった。また、電子部品に個体差があると遊技機全体としての動作が安定しないという課題があった。
【０００５】
本発明はこのような課題に鑑みてなされたものであり、打球発射装置を制御する発射タイミング生成回路および賞球払出装置を制御する払出制御回路を１枚の基板上に実装して構成した遊技機を提供することを目的とする。
【課題を解決するための手段】
【０００６】
前記課題を解決するために、本発明に係る遊技機（例えば、実施形態におけるパチンコ機ＰＭ）は、入賞具が設けられ、遊技領域が形成された遊技盤と、遊技領域に遊技球を発射する打球発射装置と、入賞具に遊技球が入賞したときに遊技球を払い出す賞球払出装置と、打球発射装置を制御する発射タイミング生成回路および賞球払出装置を制御する払出制御回路が配置された発射・払出制御基板とから構成される。
【０００７】
このような本発明に係る遊技機において、発射・払出制御基板が、発射タイミング生成回路および払出制御回路を作動させるクロックを供給する１個の発振器と、発射タイミング生成回路および払出制御回路をリセットするためのリセット信号を供給する１個のリセットＩＣとを有して構成されることが好ましい。また、発射・払出制御基板が、収容ケースに収められていることが好ましい。
【発明の効果】
【０００８】
本発明に係る遊技機を以上のように構成すると、従来、個別の基板に配置されていた発射タイミング制御回路と払出制御回路とを１枚の基板上に配置することにより、部品の共通化を図り、部品点数を減らして製造コストを下げることができる。特に、発振器やリセットＩＣを共通化すると、個別に設けたときの個体差を無くすことができ、これらの回路を安定動作させることができる。また、収容ケースに収容することにより、不正改造を受けにくくしてセキュリティを向上させることができる。
【発明を実施するための最良の形態】
【０００９】
以下、本発明の好ましい実施形態について図面を参照して説明する。まず、本発明に係る遊技機の代表例としてパチンコ機ＰＭを図１〜図３に示し、これらの図面を参照してパチンコ機ＰＭの全体構成について説明する。ここで、図１はパチンコ機ＰＭの正面図であり、図２はパチンコ機ＰＭの背面図であり、図３は裏セット盤を取り外した状態の前枠の背面図である。
【００１０】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠装置４を利用して外枠１に閉鎖施錠された状態で保持される。
【００１１】
前枠２の正面側には、前枠２の前面域に合わせた方形状をなし中央部に取り付けられたポリカーボネート板やガラス板等の透明板を通して遊技盤２０を透視可能なガラス扉５、および、球皿に貯留された遊技球を整列させて１個ずつ打球発射装置９に導く上球皿６が、ともに左側縁部に内蔵されたヒンジ機構により横開き開閉および着脱が可能に組付けられ、常には施錠装置４および図示省略するロック機構を利用して前枠２の前面を覆う閉止状態で保持される。また、前枠２の下部には遊技球を貯留する下球皿７が設けられ、この下球皿７と並んで遊技球の発射操作を行う操作ハンドル８が取り付けられている。
【００１２】
ガラス扉５の背後に位置する前枠２の裏面上部には、方形枠状の収容枠１１が前枠２と一体に成形されており、この収容枠１１に所定のゲージ設定で構成された遊技盤２０が複数の係合レバー１４により着脱交換可能にセット保持される。収容枠１１は、遊技盤２０をセット保持したときに遊技盤２０の前面が閉鎖状態にあるガラス扉５の透明板と所定間隔をおいて対向するように構成されており、遊技盤面と透明板との間に遊技球が落下移動する遊技領域空間が形成される。収容枠１１の後縁部には、裏セット盤３０をそれぞれ横開き開閉並びに着脱可能に支持する固定ヒンジ部材１２，１３が上下に所定間隔をおいてねじ固定されている。
【００１３】
遊技盤２０は板厚１９ｍｍ程度の積層合板を図示する所定形状に切断およびルーター加工して、その表面に所定意匠のセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。
【００１４】
遊技領域ＰＡには、多数本の遊技釘とともにランプ風車２５ａや一般風車２５ｂ等の風車２５、一般入賞具２６ａや始動具２６ｂ並びに大入賞口を備えたアタッカー２６ｃ等の入賞具２６、および、遊技の進行状況に応じて所定の画像を表示させる画像表示装置２８等が取り付けられ、遊技領域ＰＡの下端には入賞具２６に入賞せずに落下した遊技球（「アウト球」という）を遊技盤２０の裏面側に排出させるアウト口２７が設けられている。各入賞具（一般入賞具２６ａおよびアタッカー２６ｃ等）や始動具２６ｂに落入した遊技球（「セーフ球」という）は、各入賞具２６ａ，２６ｃおよび始動具２６ｂに設けられた入賞口スイッチおよび始動口スイッチにより検出され、化粧板２１を貫通するセーフ球通路を通って遊技盤２０の裏面側に排出される。また、アウト口２７に集められたアウト球は化粧板２１を貫通するアウト球通路孔を通って遊技盤２０の裏面側に排出される。
【００１５】
遊技盤２０の裏面側には、遊技盤２０の裏面側に排出されたセーフ球を下方へ流下させるための球寄カバー５０が取り付けられている。球寄カバー５０は、遊技盤２０の裏面側中央部に位置する上部球寄カバー５２と上部球寄カバー５２の下方に隣接する下部球寄カバー５１とから構成され、上部球寄カバー５２および下部球寄カバー５１の内部には、セーフ球を下部球寄カバー５１の下方へ排出させるためのセーフ球流下経路が形成される。
【００１６】
上部球寄カバー５２には、画像表示装置２８の画像表示制御を行う画像処理基板７１や、遊技盤２０に取り付けられた各種遊技盤ランプへの点灯信号の中継を行うランプ中継基板７２、遊技機の作動状態を遊技施設側に出力するための外部出力端子基板７４等の回路基板が着脱交換可能に取り付けられる。下部球寄カバー５１には、各入賞口スイッチからの検出信号や遊技盤２０に取り付けられた各種ソレノイドへの駆動信号の中継を行うスイッチ・ソレノイド中継基板７３が着脱交換可能に取り付けられる。
【００１７】
前枠２の裏面下部には、遊技球を外レール２４ａに向けて発射する打球発射装置９が取り付けられる。前枠２におけるこの打球発射装置９と収容枠１１との間の上下中間領域には、遊技補助盤１５と称される補助機構部が形成され、その前面側に打球発射装置９によって打ち出された遊技球を外レール２４ａに向けて案内する発射レールや、遊技領域ＰＡに到達できずに打球発射装置９側に戻ってきたファール球を下球皿７に排出させるファール球回収部材、遊技の展開状況に応じた効果音を発生させるスピーカ等が取り付けられている。遊技補助盤１５は上球皿６の背後に位置しており、常には閉鎖保持される上球皿６によりその前面側が覆われている。
【００１８】
前枠２の背後に位置して、裏セット盤（裏機構盤とも称される）３０が取り付けられる。裏セット盤３０は、外枠１の内寸サイズよりも幾分小さめの方形状に形成されており、中央に遊技盤２０から突出する画像処理基板７１を受容する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を収容枠１１側の上下の固定ヒンジ部材１２，１３に係合させて揺動させ、あるいは、係脱させることで、裏セット盤３０が前枠２の背後に横開き開閉および着脱可能に装備され、常には３箇所の閉鎖レバー３４を利用して前枠２の背面を覆うように閉鎖保持される。
【００１９】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材４１、タンク部材４１から供給される遊技球を整列させて流下させる整列樋部材４２、整列樋部材４２から供給される遊技球を受けて所定数量の遊技球を待機保持させる賞球待機通路４３、賞球待機通路４３に待機された遊技球を所定の入賞条件等に基づいて払い出す賞球払出装置４５、賞球払出装置４５から払い出された遊技球を上下の球皿６，７に導く賞球払出経路４７等の賞球装置および賞球経路が設けられている。また、基枠体３１の前面側には、窓口３１ｗの下方に位置して遊技盤２０の裏面側に排出されたアウト球およびセーフ球、球抜き機構によって賞球通路から排出された抜き球等を集合させる集合通路が形成され、基枠体３１の裏面側には集合通路と繋がって集合された遊技球を遊技施設側の回収バケットに排出させる球排出経路が形成されている。
【００２０】
また、裏セット盤３０の裏面各部には、パチンコ機ＰＭの作動を統括的に制御する主基板８１や、主基板８１からの指令信号に基づいて打球発射装置９および賞球払出装置４５の作動制御を行う発射・払出制御基板８３、効果照明および効果音の作動制御を行うランプ制御基板８４および音声制御基板８５、これらの制御基板や各種電子機器等に電力を供給する電源基板８６、電源基板８６から供給される電力の中継を行う電源中継基板８７等の回路基板が着脱交換可能に取り付けられ、各回路基板や電子機器が図示しないワイヤーハーネス（電気配線）で接続されてパチンコ機ＰＭが構成される。
【００２１】
なお、偽造ＲＯＭへの差し替え等の不正改造を受けにくくするために、画像処理基板７１、主基板８１、発射・払出制御基板８３、並びに、ランプ制御基板８４および音声制御基板８５等はそれぞれ収容ケース６０〜６３に収容されており、これらの収容ケース６０〜６３は不正開放防止器機構により封止されている。
【００２２】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２３】
次に、パチンコ機ＰＭを構成する各回路基板や電子機器といった電気部品の電気的な接続について図４および図５を参照して説明する。ここで、図４は、パチンコ機ＰＭを構成する電気部品の電気的な接続を示す回路ブロック図であり、図５は、発射・払出制御基板８３の回路構成を示す回路ブロック図である。これらの電気部品は、遊技盤２０に配設された遊技盤側電気部品７０と、外枠１や前枠２といった枠部材または裏セット盤３０に配設された枠側電気部品８０とから構成される。
【００２４】
遊技盤側電気部品７０は、例えば、画像表示装置２８の画像処理基板７１、ランプ中継基板７２、スイッチ・ソレノイド中継基板７３、外部出力端子基板７４、始動口スイッチ７５等の電気部品により図４に示すように構成される。また、枠側電気部品８０は、例えば、主基板８１、発射・払出制御基板８３、ランプ制御基板８４、音声制御基板８５、電源基板８６、電源中継基板８７等の電気部品により図４に示すように構成される。
【００２５】
主基板８１は、発射・払出制御基板８３、ランプ制御基板８４、音声制御基板８５、電源中継基板８７、画像処理基板７１、スイッチ・ソレノイド中継基板７３、外部出力端子基板７４、および、始動口スイッチ７５に各電気配線により電気的に接続される。そして、主基板８１には電源中継基板８７と電気的に接続される電源基板８６から供給される電力および各検出スイッチからの検出信号が入力され、各検出信号に基づいて主基板８１は各回路基板へ制御信号を出力する。なお、音声制御基板８５はスピーカと電気的に接続されており、主基板８１からの音声制御信号を受けて、スピーカへ音声信号を出力する。
【００２６】
画像処理基板７１は、主基板８１と第１電気配線１０１により電気的に接続されており、主基板８１からの画像表示制御信号が入力される。なお、画像処理基板７１は液晶パネルと電気的に接続されており、液晶パネルへ画像表示信号を出力する。また、画像処理基板７１は、電源中継基板８７と第６電気配線１０６により電気的に接続されており、電力が電源基板８６から電源中継基板８７を介して画像処理基板７１に供給される。
【００２７】
スイッチ・ソレノイド中継基板７３は、主基板８１と第２電気配線１０２により電気的に接続される。さらに、スイッチ・ソレノイド中継基板７３は、各入賞口スイッチおよび各種ソレノイドと電気的に接続されており、各入賞口スイッチからの検出信号がスイッチ・ソレノイド中継基板７３を介して主基板８１に入力され、主基板８１からのソレノイド駆動信号がスイッチ・ソレノイド中継基板７３を介して各種ソレノイドへ出力される。
【００２８】
外部出力端子基板７４は、主基板８１と第３電気配線１０３により電気的に接続されており、主基板８１からの外部出力信号が入力される。始動口スイッチ７５は、主基板８１と第４電気配線１０４により電気的に接続されており、始動口スイッチ７５からの検出信号が主基板８１に入力される。ランプ中継基板７２は、ランプ制御基板８４と第５電気配線１０５により電気的に接続されており、ランプ制御基板８４からのランプ点灯信号が入力される。さらにランプ中継基板７２は、各種遊技盤ランプと電気的に接続されており、前述のランプ点灯信号を各種遊技ランプへ出力する。
【００２９】
なお、図５に示すように、発射・払出制御基板８３は、賞球払出装置４５等を制御する払出し制御回路８３ａと、打球発射装置９を制御する発射タイミング生成回路８３ｂとから構成されているが、この発射・払出制御基板８３において、払出制御回路８３ａと発射タイミング生成回路８３ｂとは独立した回路構成となっている。すなわち、互いに情報のやり取り等は行わないように構成されている。しかし、これらの回路を動作させるための発振器８３ｃやリセットＩＣ８３ｄは共通して設けられている。ここで、発振器８１ｃは払出制御回路８３ａおよび発射タイミング生成回路８３ｂを動作させるためのクロックを供給するものであり、リセットＩＣ８３ｄは、電源中継基板８７を介して電源基板８６から供給される電源電圧の変化を監視し、電源投入時および電源切断時にリセット信号を供給するものである。
【００３０】
発射・払出制御基板８１を以上のように構成した場合の効果は、第１に、従来発射制御基板として払出制御基板とは別個に設けられていた発射タイミング生成回路８１ｂが払出制御回路８３ａとともに１枚の基板に搭載されて発射・払出制御基板８３とされ、さらにこの発射・払出制御基板８３が収容ケース６２内に配設されるため、不正改造を受けにくくなりセキュリティを向上させることができる。
【００３１】
また、第２に、従来は２枚の基板（発射制御基板と払出制御基板）で構成されていたものが１枚の発射・払出し制御基板８３で実現されるため、基板を共通化して枚数を減らすとともに、これらの基板を接続していたハーネスや中継基板を省略することができ、さらに、発振器８３ｃやリセットＩＣ８３ｄ等の電子部品を払出制御回路８３ａと発射タイミング生成回路８３ｂとで共用化でき、部品点数を減らして製造コストを下げることができる。また、基板の枚数を減らすことにより省スペース化を図ることができ、他の基板を配置するときの自由度も向上する。なお、ハーネスや中継基板を無くすことにより、これらのハーネスや中継基板を経由して送信される場合に信号に加わるノイズが無くなるため、打球発射装置９の作動（例えば、遊技球の発射強度等）を安定化させることができる。
【００３２】
さらに、第３に、払出制御回路８３ａと発射タイミング生成回路８３ｂとで発振器８３ｃやリセットＩＣ８３ｄを個別に設けると、これらの発振器８３ｃやリセットＩＣ８３ｄの個体差により、動作タイミングがずれることや、電源切断時等に安全にリセットされない虞があるが、本実施例に示すようにこれらの電子部品を共通化することにより安定動作を可能とし信頼性を向上させることができる。
【図面の簡単な説明】
【００３３】
【図１】本発明に係る弾球遊技機の一例として示すパチンコ機の正面図である。
【図２】上記パチンコ機の背面図である。
【図３】上記パチンコ機における裏セット盤を取り外した状態の背面図である。
【図４】上記パチンコ機を構成する電気部品の電気的な接続を示す回路ブロック図である。
【図５】上記パチンコ機を構成する発射・払出制御基板の回路構成を示す回路ブロック図である。
【符号の説明】
【００３４】
ＰＭ  パチンコ機（遊技機）
ＰＡ  遊技領域
９  打球発射装置
２０  遊技盤
２６  入賞具
４５  賞球払出装置
６２  収容ケース
８３  発射・払出制御基板
８３ａ  払出制御回路
８３ｂ  発射タイミング生成回路
８３ｃ  発振器
８３ｄ  リセットＩＣ
【図１】
2006314635.tif 000003
【図２】
2006314635.tif 000004
【図３】
2006314635.tif 000005
【図４】
2006314635.tif 000006
【図５】
2006314635.tif 000007